(57)【要約】【課題】ステレオ写真は、その独特のリアリテイ・臨場感を持っていて単純な風景であっても見る者を飽きさせない魅力がある。しかし、雑誌広告や駅貼りのポスター等では写真は多用されているがレンチキュラーなど特殊で高価な印刷技術を駆使する以外ステレオ写真であることはまずない。なぜならばレンチキュラーを用いない場合は、ステレオ写真の鑑賞の為には特殊なメガネが必要であり不特定多数に見て貰うことが目的の広告には適さないからである。【解決手段】本発明では、大容量の次世代のマトリックス型二次元コード（三次元コード）と、この三次元コードをデコード・エンコードできる機能を有したデジタルステレオカメラ及びステレオカメラ付き携帯情報端末をビューワーとして用いることにより、通信手段を使うことなく町中でリッチなステレオ写真コンテンツを印刷物と共に配布できることを目的とするものである。【選択図】図１
2008276716.tif 000002
【特許請求の範囲】
【請求項１】
マトリックス型二次元コードは一般的に縦横の矩形領域に黒白二値の格子状パターンで表されるが、これをカラー化したり濃淡を利用するなど縦横の情報記録に加え奥行き方向にも多階層化を行い大容量の情報を蓄えることが可能な次世代のマトリックス型二次元コードをここでは三次元コードと呼ぶことにする。この各種大容量三次元コードにおいて、左右独立の視差画像を保持するいわゆるステレオ画像をコンテンツデータとして持つものに対して、ステレオカメラ利用者の識別の目的でコード図柄内部及び図柄外周部に「３Ｄ  ＳＴＥＲＥＯ」等ステレオ写真が含まれた特別なコンテンツであることを示す文字及び何らかのマークを一体として配置することによって利用者がステレオ写真対応のコンテンツが入った三次元コードであると瞬時に判別できる情報性・デザイン性を付加したステレオ三次元コードを利用することを特徴とする三次元コードを利用したステレオ写真コンテンツ表示・記録装置及び手法。
【請求項２】
デジタルステレオカメラまたはステレオカメラ付き携帯情報端末に大容量ステレオ三次元コードのデコーダーを搭載することによって、雑誌広告や駅貼りのポスター、Ｗｅｂページ等に表示された請求項１で定義したステレオ三次元コードを対応型のデジタルステレオカメラまたはステレオカメラ付き携帯情報端末で読み取って機器内でデコードし、閲覧・鑑賞できることを特徴とする三次元コードを利用したステレオ写真コンテンツ表示・記録装置及び手法。
【請求項３】
デジタルステレオカメラまたはステレオカメラ付き携帯情報端末内に大容量ステレオ三次元コードのエンコーダーを搭載することによって、撮影されたステレオの両眼画像または一方を切り出した単眼画像をデコードし画像化して、対応型のデジタルステレオカメラまたはステレオカメラ付き携帯情報端末及びサイトに転送・表示できることを特徴とする三次元コードを利用したステレオ写真コンテンツ表示・記録装置及び手法。
【請求項４】
雑誌広告や駅貼りのポスター、Ｗｅｂページ等広告媒体の一部にステレオ三次元コードを表示することによって、その三次元コードの撮影・取り込みを行うアクセス者に対しては従来の媒体では表示し得なかった立体視を特徴とするステレオ写真コンテンツの鑑賞を可能にすることを特徴とする三次元コードを利用したステレオ写真コンテンツ表示・記録装置及び手法。
【請求項５】
携帯電話、携帯情報端末等のように通信手段を持たないデジタルステレオカメラに対しても、三次元コードへのアクセスによってステレオ写真コンテンツを容易に供給・鑑賞してもらえることを特徴とする三次元コードを利用したステレオ写真コンテンツ表示・記録装置及び手法。
【請求項６】
内蔵のカメラにて撮影されたステレオ三次元コードを、デコードとは別経路で三次元コードの画像としてストレージ用メモリーに保存し、その画像を他の対応型のデジタルステレオカメラまたはステレオカメラ付き携帯情報端末及びサイトに転送し、デコードすることでステレオ写真コンテンツを表示、鑑賞できることを特徴とする三次元コードを利用したステレオ写真コンテンツ表示・記録装置及び手法。
【発明の詳細な説明】
【技術分野】
【０００１】  本発明は、色や濃淡によって多次元化され大容量化された次世代のマトリックス型二次元コード（三次元コード）を利用できるエンコーダー、デコーダーを内蔵したデジタルステレオカメラ及びステレオカメラ付き携帯情報端末を利用してステレオ写真コンテンツを流通させる技術及び手法に関するものである。
【背景技術】
【０００２】  これまでのバーコードに代わるものとして容量面を改善したＱＲコードが普及している。ＱＲコードは、縦線が羅列されたバーコードの黒白塗り分けの横方向の一次元的なコード化手法に対して直行する縦軸を加えることによって二次元化し大容量化を達成することを可能にしており、これと同様な手法により情報を記録しているものを二次元コードと呼んでいる。この二次元コードの改良型として塗りつぶされる各エレメントを黒白の二値ではなく複数の色や濃淡などによってもう一軸奥行き方向の情報空間を加えたものが最近では考案されてきておりここではこれを三次元コードと呼ぶことにする。この三次元コードによって画像や動画など更に膨大な情報を矩形の図柄の中に収めることが原理的に可能となっている。例えば特許文献１に記載の三次元コードなどがその一例で、膨大な容量を持つために画像データ更には動画データそのものをコード化することが可能となる。【０００３】
【特許文献１】特願２００５−２１３３３６
【０００４】  また、ＱＲコードはその情報量の多さから携帯情報端末の内蔵カメラで撮影して埋め込まれたＵＲＬを簡便に得るという簡易入力手法として普及した側面もあるが、両像そのものを埋め込むには容量が少なく、携帯電話用に用意したＷｅｂページにアクセスしてもらう必要があった。これに対し大容量の三次元コードは６００ＫＢ〜数メガというＱＲコードに比べても膨大な情報量を持っておりサーバーに接続しデータをダウンロードすることなく画像データや動画データをその場で取得することができる。【０００５】  音楽では、リアルな臨場感を得るために早くからステレオ化が進んだ。これは少しでも原音に近いものをいつでも聞きたいという人間の根本的な欲求に根ざしたものだが、写真の世界でも両目で見た時の立体感を再現しようとするステレオ写真というものが存在する。２０年毎にブームが来ると言われるこのステレオ写真であるが、これまでポジフィルムによって撮影されていたことにより、焼き増しによって他人にあげることができなかったり、鑑賞のためにビューワーが必要であったりとその優れた表現力にも関わらずマニアの間で細々と生き残ってきた。ただ、デジタルカメラが主流の世の中になり撮影画像（コンテンツ）の複製も容易になったこともあり、例えば特許文献２、特許文献３、特許文献４などのような携帯電話をプラットフォームとするなどして近い将来ステレオ写真が一つのジャンルとして成立する可能性が出てきている。【０００６】
【特許文献２】特開２００３−５１８７２
【特許文献３】特開２００５−１７６２８４
【特許文献４】特開２００６−１０８８８３
【発明の開示】
【発明が解消しようとする課題】
【０００７】  ステレオ写真は、その独特のリアリティ・臨場感を持っていて単純な風景であっても見る者を飽きさせない魅力がある。しかし、雑誌広告や駅貼りのポスター等では写真は多用されているがレンチキュラーなど特殊で高価な印刷技術を駆使する以外ステレオ写真であることはまずない。レンチキュラーを用いない場合は、ステレオ写真の鑑賞の為には特殊なメガネが必要であり不特定多数に見て貰うことが目的の広告には適さないからである。
【０００８】  本発明では、デジタルステレオカメラ及びステレオカメラ付き携帯情報端末の普及が条件とはなるが、ステレオ写真コンテンツをエンコードした三次元コードと、それがステレオ写真コンテンツが入っていると識別できる特徴的なシンボルを組み合わせたものを「ステレオ三次元コード」としてブランド化し、これを印刷物の一部に印刷して広告とともに配布することによって対応するデジタルステレオカメラ及びステレオカメラ付き携帯情報端末で撮影するだけで通信を伴うことなくステレオ画像コンテンツを取得して鑑賞でき、かつ広告主側から見るとステレオ写真という訴求力が大きく広告効果の期待できるコンテンツを容易に供給できる一連の仕組みの構築することを目的とする。また、ある人が取得したステレオ三次元コードを、口コミ的な意味合いで仲間内で交換できるようにデータの受け渡しに於いてもステレオ三次元コードを利用するとを併せて目的とするものである。
【課題を解決するための手段】
【０００９】  請求項１に記載の発明は、大容量三次元コードにおいて左右独立の視差画像を保持するいわゆるステレオ画像をコンテンツデータとして持つものに対して、ステレオカメラ利用者への利用可のを示す識別の目的でコード図柄内部及び図柄外周部に「３Ｄ  ＳＴＥＲＥＯ」等ステレオ写真が含まれた特別なコンテンツであることを示す文字及び何らかのマークを一体として配置することによって、利用者がステレオ写真対応のコンテンツが入った三次元コードであると瞬時に判別できる情報性・デザイン性を付加したステレオ三次元コードを利用することを特徴とする。
【００１０】  請求項２に記載の発明は、デジタルステレオカメラまたはステレオカメラ付き携帯情報電話内に大容量ステレオ三次元コードのデコーダーを搭載することによって、雑誌広告や駅貼りのポスター、Ｗｅｂページ等に表示された請求項１で定義したステレオ三次元コードを対応型のデジタルステレオカメラまたはステレオカメラ付き携帯情報端末で読み取って機器内でデコードし、閲覧・鑑賞できることを特徴とする。
【００１１】  請求項３に記載の発明は、デジタルステレオカメラまたはステレオカメラ付き携帯情報端末内に大容量ステレオ三次元コードのエンコーダーを搭載することによって、撮影されたステレオの両眼画像または一方を切り出した単眼画像をデコードし画像化して、対応型のデジタルステレオカメラまたはステレオカメラ付き携帯情報端末及びサイトに転送・表示できることを特徴とする。
【００１２】  請求項４に記載の発明は、雑誌広告や駅貼りのポスター、Ｗｅｂページ等広告媒体の一部にステレオ三次元コードを表示することによって、その三次元コードの撮影・取り込みを行うアクセス者に対しては従来の媒体では表示し得なかった立体視を特徴とするステレオ写真コンテンツの鑑賞を可能にすることを特徴とする。
【００１３】  請求項５に記載の発明は、携帯電話、携帯情報端末等のように通信手段を持たないデジタルステレオカメラに対しても、三次元コードへのアクセスによってステレオ写真コンテンツを容易に供給・鑑賞してもらえることを特徴とする。
【００１４】  請求項６に記載の発明は、内蔵のカメラにて撮影されたステレオ三次元コードを、デコードとは別経路で三次元コードの画像としてストレージ用メモリーに保存し、その画像を他の対応型のデジタルステレオカメラまたはステレオカメラ付き携帯情報端末及びサイトに転送し、デコードすることでステレオ写真コンテンツを表示、鑑賞できることを特徴とする。
【発明を実施するための最良の形態】
【００１５】  以下、本発明の広告閲覧機能での実施形態を、まず図１に基づいて説明する。【００１６】  雑誌広告や駅貼りのポスター、Ｗｅｂページなど（１）に、広告主が広告の一部にステレオ三次元コードが表示されている時、広告主は、ステレオ写真ならではの立体的で話題性のあるコンテンツを制作し、ステレオ三次元コードにエンコードして配布する。【００１７】  これを三次元コードのデコード機能を持ったデジタルステレオカメラまたはステレオカメラ付き携帯情報端末Ａ（１５）の所有者が、情報の閲覧・鑑賞を目的に撮影すると、ステレオカメラユニット（５）を経由して画像メモリー１（６）に三次元コードイメージ（７）が取り込まれる。【００１８】  この三次元コードイメージ（７）は、機器内部の三次元コードのデコーダー（８）で、三次元コードからステレオ画像へ変換（デコード）され画像メモリー２（１０）に保持される。【００１９】  これを電子ステレオビューワー（１４）内の、左眼、右眼に対応したＬＣＤ、有機ＥＬ等で構成される表示素子（１２）に表示することによって、接眼レンズ（１３）を通して利用者は立体画像としてコンテンツを鑑賞することができる。【００２０】  また、画像メモリー１（６）に読み込まれた三次元コードイメージは、ストレージメモリーＡ（１６）に対して任意に保存することができる。三次元バーコード画像の自体は容量は小さいので、通信手段を利用するなどして他人に渡すなど二次利用することができる。図１では、ストレージ用メモリーＡ（１６）に保存された三次元コード画像ファイル（１７）をデータ転送（２１）によってデジタルステレオカメラ及びステレオカメラ付き携帯情報端末Ｂ（２４）内のストレージ用メモリーＢ（２２）にコピーしていることを示している。【００２１】  ストレージ用メモリーＢ（２２）にコピーされた三次元コード画像ファイル（１７）は、デジタルステレオカメラ及びステレオカメラ付き携帯情報端末Ｂ（２４）の画像メモリー３（２５）に読み込まれ、ステレオ三次元コードイメージ（２６）として保持される。これが、デコーダー（２７）でデコードされ画像メモリー４（２９）にステレオイメージ（３０）として書き込まれ、利用者は電子ステレオビューワー（３１）で、コンテンツを鑑賞することができる。【００２２】  このように、広告主としては（コンテンツの連鎖コピーを想定した著作権的な考慮を行っている必要があるが）、口コミ的なコンテンツの伝播を期待することができる。【００２２】  次に、本発明の一般的なステレオカメラとしての利用における実施形態を、図２に基づいて説明する。【００２３】  被写体（３２）が撮影されると、画像メモリー５（３５）にステレオカメラユニットの左右一対の画像、左眼イメージ（３６）、右眼イメージ（３７）が読み込まれる。これを画像処理モジュール（３８）で一つの画像にマージして画像メモリー６（４０）に送り込む。【００２４】  これを画像データとして保存する場合は、ストレージ用メモリーＣ（４４）に対しステレオ画像ファイル（４５）として書き出す。これとは別に、三次元コードとして保存したい場合は、エンコーダー（５３）に画像メモリー６（４０）内のステレオイメージ（４１）を送ってエン��ードし、ストレージ用メモリーＣ（４４）に三次元コード画像ファイル（５４）として書き出し保存する。ステレオ画像ファイル（４５）として保存するか、三次元コード画像ファイル（５４）として保存するかは利用者が任意に決められるものとする。【００２５】  ステレオ画像ファイル（４５）、三次元コード画像ファイル（５４）は、デジタルステレオカメラ及びステレオカメラ付き携帯情報端末Ｃ（３３）が持つ赤外線通信、無線通信等の各種通信機能またはフラッシュメモリー等のデジタル記録メディアの入れ替え作業によって、他の機種に渡すことができる。図２では、ストレージ用メモリーＤ（４７）にそれぞれの画像ファイルをストレージ用メモリーＣ（４４）から渡しているところを示している。【００２６】  コピー先機器での鑑賞に関しては、ステレオ画像ファイル（４５）を画像メモリー８（３７）に読み込むことによって電子ステレオビューワー（５１）での表示が可能となり利用者はステレオ写真コンテンツを鑑賞することが可能になる。【００２７】  三次元コード画像ファイル（５４）の場合は、画像メモリー７（５６）にステレオ三次元コードイメージ（５７）として読み込まれ、デコーダー（５８）でステレオイメージに変換されこれが画像メモリー８（４９）に書き込まれ、前項と同様に電子ステレオビューワー（５１）での鑑賞を行うことができる。【００２８】  これらの例のように三次元コードをステレオ画像ファイルの搬送手段として利用することで、データ容量を低く抑え携帯情報端末間での通信効率を大きく向上させることが可能になる。
【図面の簡単な説明】
【００２９】
【図１】本発明の主に広告ツールとしての利用形態を図示したものである。
【図２】本発明の一般的なステレオカメラとしての利用形態を図示したものである。
【図３】ステレオ三次元コードの告知用デザイン例である。
【図１】
2008276716.tif 000003
【図２】
2008276716.tif 000004
【図３】
2008276716.tif 000005